Podtech/llm-jp-corpus-v4-ja_patent huggingface dataset:
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
MR装置の検査ボリュームにおいて位置される対象物のMRイメージングの方法であって、
-マルチポイントディクソン技術を使用して、及び空間感度プロファイルを示す感度マップを持つ二つ又はそれより多くのＲＦ受信コイルを用いて、前記対象物から参照MR信号データを収集するステップと、
-前記参照MR信号データからB0マップを引き出すステップと、
-前記参照MR信号データからマルチポイントディクソン水マップ及びマルチポイントディクソン脂肪マップを引き出すステップと、
-前記感度マップの幾何学的歪に対して、前記B0マップによって前記感度マップを補正するステップと、
-k-スペースのサブサンプリングにより、前記一つ又はそれより多くの受信コイルを介して前記対象物からイメージングMR信号データを収集するステップと、
-前記イメージングMR信号データからMR画像を再構成し、サブサンプリングアーチファクトが、前記補正された感度マップを使用して除去される、ステップと
を有する方法において、
-前記感度マップの前記補正は、水からの信号及び脂肪からの信号にそれぞれ関連する分離補正感度マップの計算を含み、
-前記MR画像の前記再構成は、分離水画像及び脂肪画像を同時に展開するために、前記補正感度マップを使用する、正則化されたSENSE再構成スキームによって実行され、
-前記正則化は、正則化マップとして、前記参照MR信号データから引き出された前記マルチポイントディクソン水マップ及び／又は前記マルチポイントディクソン脂肪マップを使用する、
方法。
【請求項２】
前記参照MR信号データは、前記イメージングMR信号データの画像分解能より低い画像分解能で収集される、請求項１に記載の方法。
【請求項３】
前記参照MR信号データ及び／又は前記イメージングMR信号データは、エコープレーナイメージングを用いることによって収集される、請求項１又は２に記載の方法。
【請求項４】
脂肪比率は、水マップ及び脂肪マップから計算され、前記脂肪比率は、それぞれの画像位置における水及び脂肪プロトンの前記信号寄与の前記関係を示し、前記脂肪比率は、前記MR画像を再構成する前記ステップにおいて使用される、請求項１に記載の方法。
【請求項５】
前記水画像は、水感度マップを使用して再構成され、前記脂肪画像は、前記水感度マップと異なる脂肪感度マップを使用して再構成される、請求項４に記載の方法。
【請求項６】
前記脂肪感度マップは、脂肪シフトの前記方向における変換によって前記水感度マップから計算される、請求項５に記載の方法。
【請求項７】
前記水画像は、水正則化マップを使用して再構成され、前記脂肪画像は、脂肪正則化マップを使用することによって再構成される、請求項１に記載の方法。
【請求項８】
前記水正則化マップは、前記水マップからもたらされ、脂肪正則化マップは、前記脂肪マップからもたらされる、請求項１又は７に記載の方法。
【請求項９】
請求項1乃至８の何れかの一項に記載の方法を実行するためのMR装置であって、前記MR装置は、検査ボリューム内において均一な定常磁場B0を生成するための少なくとも一つの主磁石コイルと、前記検査ボリューム内における異なる空間方向において、スイッチされる磁場傾斜を生成するためのいくつかの傾斜コイルと、前記検査ボリューム内においてRFパルスを生成するための、少なくとも一つのRFコイルと、前記検査ボリュームにおいて位置される対象物からMR信号を受信するための、一つ又はそれより多くの受信コイルと、スイッチされる磁場傾斜及びRFパルスの時間連続性を制御するための制御ユニットと、再構成ユニットとを含み、前記MR装置は、
-空間感度プロファイルを示す感度マップを持つ二つ又はそれより多くのＲＦ受信コイルを用いて、マルチポイントディクソン技術を使用して、前記対象物から参照MR信号データを収集するステップと、
-前記参照MR信号データからB0マップを引き出すステップと、
-前記参照MR信号データからマルチポイントディクソン水マップ及びマルチポイントディクソン脂肪マップを引き出すステップと、
-前記感度マップの幾何学的歪に対して、前記B0マップによって前記感度マップを補正するステップと、
-k-スペースのサブサンプリングにより、前記一つ又はそれより多くの受信コイルを介して前記対象物からイメージングMR信号データを収集するステップと、
-前記イメージングMR信号データからMR画像を再構成し、サブサンプリングアーチファクトが、前記補正された感度マップを使用して除去される、ステップと
を実行するように構成され、
-前記感度マップの前記補正は、水からの信号及び脂肪からの信号にそれぞれ関連する分離補正感度マップの計算を含み、
-前記MR画像の前記再構成は、分離水画像及び脂肪画像を同時に展開するために、前記補正感度マップを使用する、正則化されたSENSE再構成スキームによって実行され、
-前記正則化は、正則化マップとして、前記参照MR信号データから引き出された前記マルチポイントディクソン水マップ及び／又は前記マルチポイントディクソン脂肪マップを使用する、
MR装置。
【請求項１０】
MR装置上で実行されるべきコンピュータプログラムであって、前記コンピュータプログラムは、
-マルチポイントディクソン技術を使用して、及び空間感度プロファイルを示す感度マップを持つ二つ又はそれより多くのＲＦ受信コイルを用いて、対象物から参照MR信号データを収集するステップと、
-前記参照MR信号データからB0マップを引き出すステップと、
-前記参照MR信号データからマルチポイントディクソン水マップ及びマルチポイントディクソン脂肪マップを引き出すステップと、
-前記感度マップの幾何学的歪に対して、前記B0マップによって前記感度マップを補正するステップと、
-k-スペースのサブサンプリングにより、前記一つ又はそれより多くの受信コイルを介して前記対象物からイメージングMR信号データを収集するステップと、
-前記イメージングMR信号データからMR画像を再構成し、サブサンプリングアーチファクトが、前記補正された感度マップを使用して除去される、ステップと
のための命令を有し、
-前記感度マップの前記補正は、水からの信号及び脂肪からの信号にそれぞれ関連する分離補正感度マップの計算を含み、
-前記MR画像の前記再構成は、分離水画像及び脂肪画像を同時に展開するために、前記補正感度マップを使用する、正則化されたSENSE再構成スキームによって実行され、
-前記正則化は、正則化マップとして、前記参照MR信号データから引き出された前記マルチポイントディクソン水マップ及び／又は前記マルチポイントディクソン脂肪マップを使用する、
コンピュータプログラム。
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
コントロールパネルにより、重量センサ及び少なくとも１つのさらなるセンサにより生成された患者データを受信するステップであって、前記患者データは、患者の身体の寸法に対応する、ステップと、
前記コントロールパネルにより、前記患者データに応じて、モデルデータを生成するステップであって、前記モデルデータは、前記患者の前記身体を表現する、ステップと、
前記コントロールパネルにより、前記モデルデータ上のターゲット位置を受信するステップであって、前記ターゲット位置は、前記患者の前記身体上の撮像スキャンを実行する所望の位置に対応する、ステップと、
前記コントロールパネルにより、前記ターゲット位置に応じて、前記撮像スキャンのためのアイソセンタを決定するステップと、
を含む方法。
【請求項２】
前記患者データは、前記患者の少なくとも１つのキャプチャされた画像である、請求項１記載の方法。
【請求項３】
前記モデルデータは、前記患者の前記身体の３次元表現である、請求項１記載の方法。
【請求項４】
前記コントロールパネルのディスプレイデバイス上に前記モデルデータを表示するステップ
をさらに含む、請求項３記載の方法。
【請求項５】
前記モデルデータは、予め計算されたパラメータに応じて生成される、請求項１記載の方法。
【請求項６】
前記アイソセンタを決定する前に、前記コントロールパネルにより、患者台上における前記患者の位置データを受信するステップ
をさらに含む、請求項１記載の方法。
【請求項７】
前記コントロールパネルにより、前記モデルデータを生成するためにさらなる患者データが必要とされるかどうかを判定するステップと、
前記コントロールパネルにより、前記さらなる患者データをリクエストするステップと、
をさらに含む、請求項１記載の方法。
【請求項８】
前記さらなる患者データは、前記コントロールパネルにより、オペレータから手動でと、前記少なくとも１つのさらなるセンサを用いて自動でと、のうちの少なくとも１つで、受信される、請求項７記載の方法。
【請求項９】
前記少なくとも１つのさらなるセンサは、撮像センサ、熱センサ、光センサ、奥行きセンサからなる群から選択される、請求項１記載の方法。
【請求項１０】
前記コントロールパネルにより、前記撮像スキャンを実行する前に、オペレータがスキャン室内に在室しているかどうかを判定するステップ
をさらに含む、請求項１記載の方法。
【請求項１１】
重量センサ及び少なくとも１つのさらなるセンサにより生成された患者データを受信するよう構成されているプロセッサであって、前記患者データは、患者の身体の寸法に対応し、前記プロセッサは、前記患者データに応じて、モデルデータを生成するよう構成されており、前記モデルデータは、前記患者の前記身体を表現する、プロセッサと、
前記患者データ及び前記モデルデータを記憶するよう構成されているメモリ構成と、
前記モデルデータ上のターゲット位置を受信するよう構成されている入力デバイスであって、前記ターゲット位置は、前記患者の前記身体上の撮像スキャンを実行する所望の位置に対応する、入力デバイスと、
を備え、
前記プロセッサは、前記ターゲット位置に応じて、前記撮像スキャンのためのアイソセンタを決定する、
コントロールパネル。
【請求項１２】
前記患者データは、前記患者の少なくとも１つのキャプチャされた画像である、請求項１１記載のコントロールパネル。
【請求項１３】
前記モデルデータは、前記患者の前記身体の３次元表現である、請求項１１記載のコントロールパネル。
【請求項１４】
前記モデルデータを表示するよう構成されているディスプレイデバイス
をさらに備える、請求項１３記載のコントロールパネル。
【請求項１５】
前記モデルデータは、予め計算されたパラメータに応じて生成される、請求項１１記載のコントロールパネル。
【請求項１６】
前記アイソセンタを決定する前に、前記プロセッサは、患者台上における前記患者の位置データを受信する、請求項１１記載のコントロールパネル。
【請求項１７】
前記プロセッサは、前記モデルデータを生成するためにさらなる患者データが必要とされるかどうかを判定し、前記さらなる患者データをリクエストするよう構成されている、請求項１１記載のコントロールパネル。
【請求項１８】
前記プロセッサは、前記入力デバイスを介してオペレータから手動でと、前記少なくとも１つのさらなるセンサを用いて自動でと、のうちの少なくとも１つで、前記さらなる患者データを受信するよう構成されている、請求項１７記載のコントロールパネル。
【請求項１９】
前記少なくとも１つのさらなるセンサは、撮像センサ、熱センサ、光センサ、奥行きセンサからなる群から選択される、請求項１１記載のコントロールパネル。
【請求項２０】
患者の身体の寸法を示す患者データを生成するよう構成されている、スキャン室内に配置された重量センサ及び少なくとも１つのさらなるセンサと、
コントロールパネルであって、
前記患者データを受信するよう構成されているプロセッサであって、前記プロセッサは、前記患者データに応じて、モデルデータを生成するよう構成されており、前記モデルデータは、前記患者の前記身体を表現する、プロセッサと、
前記患者データ及び前記モデルデータを記憶するよう構成されているメモリ構成と、
前記モデルデータ上のターゲット位置を受信するよう構成されている入力デバイスであって、前記ターゲット位置は、前記患者の前記身体上の撮像スキャンを実行する所望の位置に対応する、入力デバイスと、
を含むコントロールパネルと、
前記撮像スキャンを実行するよう構成されているスキャンデバイスと、
を備え、
前記プロセッサは、前記ターゲット位置に応じて、前記撮像スキャンのためのアイソセンタを決定する、
システム。
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
異種腎細胞群及び生物活性のある細胞群を含有するオルガノイドであって、該異種腎細胞群は、特定の生物活性成分または細胞型が富化され、及び／または、特定の不活性もしくは望ましくない成分または細胞型が枯渇され、生物活性のある細胞群が、内皮細胞、内皮前駆細胞、間葉系幹細胞、及び／または脂肪由来前駆細胞を含む、オルガノイド。
【請求項２】
生物活性のある細胞群が、内皮細胞群である、請求項１に記載のオルガノイド。
【請求項３】
異種腎細胞群が、尿細管細胞の富化群を含有するＢ２細胞群を含有し、及び、ここで、該異種腎細胞群が、Ｂ１細胞群を枯渇している、請求項２に記載のオルガノイド。
【請求項４】
異種腎細胞群が、Ｂ５細胞群をさらに枯渇している、請求項３に記載のオルガノイド。
【請求項５】
異種腎細胞群が、Ｂ２／Ｂ３、Ｂ２／Ｂ４、及び、Ｂ２／Ｂ３／Ｂ４から選択される細胞群を含有するか、または、エリスロポエチン（ＥＰＯ）産生細胞を含有する、請求項１に記載のオルガノイド。
【請求項６】
内皮細胞群が、細胞株であるか、または、ヒト臍帯静脈内皮細胞（ＨＵＶＥＣ）を含む、請求項２に記載のオルガノイド。
【請求項７】
異種腎細胞群及び生物活性のある細胞群を含有するオルガノイドの形成方法であって、該異種腎細胞群及び生物活性のある細胞群を、ｉ）２Ｄ培養；ｉｉ）３Ｄ培養：コラーゲンＩ型（ＣＯＬ（Ｉ））ゲル；ｉｉｉ）３Ｄ培養：マトリゲル；ｉｖ）３Ｄ培養：スピナー、次いで、ＣＯＬ（Ｉ）／マトリゲル；及び、ｖ）３Ｄ培養：コラーゲンＩＶ型（ＣＯＬ（ＩＶ））ゲル、からなる群から選択される培養システム中で培養すること、を含み、該異種腎細胞群は、特定の生物活性成分または細胞型が富化され、及び／または、特定の不活性もしくは望ましくない成分または細胞型が枯渇され、生物活性のある細胞群が、内皮細胞、内皮前駆細胞、間葉系幹細胞、及び／または脂肪由来前駆細胞を含む、方法。
【請求項８】
異種腎細胞群が、（ｉ）尿細管細胞の富化群を含有するＢ２細胞群を含有し、及び、ここで、該異種腎細胞群が、Ｂ１細胞群を枯渇している、（ｉｉ）Ｂ２、Ｂ２／Ｂ３、Ｂ２／Ｂ４、及び、Ｂ２／Ｂ３／Ｂ４から選択される細胞群を含有する、または、（ｉｉｉ）エリスロポエチン（ＥＰＯ）産生細胞を含有する、請求項７に記載の方法。
【請求項９】
異種腎細胞群が、Ｂ５細胞群をさらに枯渇している、請求項８に記載の方法。
【請求項１０】
生物活性のある細胞群が、内皮細胞群である、請求項７に記載の方法。
【請求項１１】
内皮細胞群が、細胞株であるか、または、ＨＵＶＥＣ細胞を含有する、請求項１０に記載の方法。
【請求項１２】
細胞群が、異種、同系、同種、自己、及びそれらの組み合わせから選択される、請求項７に記載の方法。
【請求項１３】
異種腎細胞群及び生物活性のある細胞群が、第一の期間の間は別々に培養され、第二の期間の間に、混合され、及び培養される、請求項７に記載の方法。
【請求項１４】
第二の期間が、少なくとも２４時間であるか、または、２４時間〜７２時間である、請求項１３に記載の方法。
【請求項１５】
腎細胞群及び生物活性のある細胞群が、１：１の比率であるか又は増殖培地中に懸濁されている、請求項７に記載の方法。
【請求項１６】
請求項７から１５のいずれか１項に記載の方法に従い作製された、オルガノイド。
【請求項１７】
少なくとも１つの請求項１から６のいずれか１項に記載のオルガノイド、及び、液体培地を含有する、注射可能な製剤。
【請求項１８】
液体培地が、細胞増殖培地、ダルベッコリン酸緩衝生理食塩水（ＤＰＢＳ）、及びそれらの組み合わせから選択される、請求項１７に記載の製剤。
【請求項１９】
オルガノイドが、液体培地中に懸濁されている、請求項１７に記載の製剤。
【請求項２０】
請求項１から６のいずれか１項に記載のオルガノイド、及び、
（ｉ）約８℃以下で実質的に固形状態、及び、
（ｉｉ）およそ環境温度以上で実質的に液体状態、
を維持する温度感受性細胞安定化バイオマテリアルを含有する、注射可能な製剤。
【請求項２１】
（ｉ）生物活性のある細胞が、実質的に、細胞安定化バイオマテリアルの体積全体に均一に分散されており、（ｉｉ）バイオマテリアルは、約８℃〜およそ環境温度以上で、固形−液体の遷移状態を有し、（ｉｉｉ）実質的に固形状態とは、ゲル状態であり、（ｉｖ）細胞安定化バイオマテリアルは、ハイドロゲルを含有する、請求項２０に記載の製剤。
【請求項２２】
ハイドロゲルが、ゼラチンを含有する、請求項２１に記載の製剤。
【請求項２３】
ゼラチンが、約０．５％〜約１％（ｗ／ｖ）で、または、約０．７５％（ｗ／ｖ）で、製剤中に存在する、請求項２２に記載の製剤。
【請求項２４】
必要のある対象において腎疾患を治療するためのオルガノイドであって、請求項１から６のいずれか１項に記載のオルガノイドを含み、少なくとも１つの該オルガノイドが投与される、オルガノイド。
【請求項２５】
必要のある対象において腎疾患を治療するための注射可能な製剤であって、請求項２０から２３のいずれか１項に記載の製剤を含む、注射可能な製剤。
【請求項２６】
対象が哺乳類である、請求項２４に記載のオルガノイド、または、請求項２５に記載の注射可能な製剤。
【請求項２７】
哺乳類がヒトである、請求項２６に記載のオルガノイドまたは注射可能な製剤。
【請求項２８】
対象が腎疾患を有している、請求項２６に記載のオルガノイドまたは注射可能な製剤。
【請求項２９】
以下の基準のうちのいずれか１つにおける改善が認められる、請求項２４に記載のオルガノイド、または、請求項２５に記載の注射可能な製剤：
貧血（Ｈｃｔ、Ｈｇｂ、ＲＢＣ）、炎症（ＷＢＣ）、尿濃縮（ｓｐＧｒａｖ）及び高窒素血症（ＢＵＮ）。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
装置であって、
再充電可能バッテリと、
電源から電力を受け取るよう動作可能な回路とを含み、前記回路は、前記再充電可能バッテリおよび他の電気コンポーネントに電力を提供するように構成されており、前記装置はさらに、
前記他の電気コンポーネントに関連付けられる電力消費の減少に応答して、前記再充電可能バッテリへの電力を増加させるよう前記回路を制御するように構成されるコントローラを含む、装置。
【請求項２】
前記電源のヒューズを介した前記電源における電気的接続を維持するために、前記電源からの電力は前記コントローラを使用して選択可能である、請求項１に記載の装置。
【請求項３】
前記他の電気コンポーネントに関連付けられる電力消費を監視するよう構成される監視回路をさらに含む、請求項１に記載の装置。
【請求項４】
前記再充電可能バッテリに関連付けられる充電状態を決定するように構成される監視回路をさらに含み、前記コントローラはさらに、前記再充電可能バッテリに関連付けられる充電レベルがしきい値を下回る場合に、前記回路に前記再充電可能バッテリへ実質的に一定の電流を提供させるように構成されており、前記コントローラはさらに、前記再充電可能バッテリに関連付けられる充電レベルが前記しきい値を上回る場合に、前記回路に前記再充電可能バッテリへ実質的に一定の電圧を提供させるように構成されている、請求項１に記載の装置。
【請求項５】
前記装置は、ポータブルストレージデバイスである、請求項１に記載の装置。
【請求項６】
方法であって、
デバイスのために電源から電力を受け取ることと、
前記デバイスの第１の動作モードの間に前記デバイスの再充電可能バッテリに第１の電力レベルを提供することと、
第２の動作モードの間に前記再充電可能バッテリに、前記第１の電力レベルより高い第２の電力レベルを提供することとを含む、方法。
【請求項７】
前記デバイスに関連付けられる電力消費を監視することと、
前記電源のヒューズにおける電気的接続を維持するよう、前記再充電可能バッテリを充電するための電力レベルを選択することとをさらに含む、請求項６に記載の方法。
【請求項８】
前記再充電可能バッテリ回路を充電するための前記電力レベルは、前記電源からの電力と前記デバイスに関連付けられる電力消費との差である、請求項７に記載の方法。
【請求項９】
前記第１の動作モードは、前記デバイスにデータを送信すること、または、前記デバイスからデータを送信することを含む、請求項６に記載の方法。
【請求項１０】
前記デバイスの電力消費の変化に応答して前記第１の電力レベルおよび前記第２の電力レベルを動的に調節することをさらに含む、請求項６に記載の方法。
【請求項１１】
前記再充電可能バッテリに関連付けられる充電状態を決定することと、
前記再充電可能バッテリに関連付けられる充電レベルがしきい値を下回る場合、前記再充電可能バッテリに実質的に一定の電流を提供することと、
前記再充電可能バッテリに関連付けられる前記充電レベルが前記しきい値を上回る場合、前記再充電可能バッテリに実質的に一定の電圧を提供することとをさらに含む、請求項６に記載の方法。
【請求項１２】
デバイスであって、
再充電可能バッテリと、
電源から電力を受け取り、かつ、前記デバイスの前記再充電可能バッテリおよび他の電気コンポーネントに電力を提供するよう動作可能なインターフェイスと、
前記電源から受け取られる電力の量を動的に制御するように構成されるコントローラとを含み、前記コントローラはさらに、前記他の電気コンポーネントが最大電力負荷で動作する場合と比較して、前記他の電気コンポーネントが前記最大電力負荷未満で動作する場合により速い速度で前記再充電可能バッテリを前記インターフェイスに充電させるように構成される、デバイス。
【請求項１３】
データ送信動作の完了に関連付けられる電力消費における低下に応答して、前記コントローラは前記インターフェイスに、前記再充電可能バッテリへより高い電力を提供させるように構成される、請求項１２に記載のデバイス。
【請求項１４】
前記デバイスの前記他の電気コンポーネントに関連付けられる電力消費を監視するよう構成される監視回路をさらに含む、請求項１２に記載のデバイス。
【請求項１５】
命令を格納するコンピュータ読取可能媒体を含むコントローラであって、前記命令は実行されると、
デバイスのために電源から電力を受け取ることと、
前記デバイスの第１の動作モードの間に、前記電源から第１の電力レベルを前記デバイスの再充電可能バッテリ回路に提供することと、
前記デバイスの第２の動作モードの間に、前記第１の電力レベルより高い第２の電力レベルを前記電源から前記再充電可能バッテリ回路に提供することとを含む方法を実行する、コントローラ。
【請求項１６】
前記方法は、
前記デバイスに関連付けられる電力消費を監視することと、
前記再充電可能バッテリ回路を充電するための前記電力レベルを選択することとをさらに含み、前記電力は、前記電源のヒューズにおける電気的接続を維持するよう選択される、請求項１５に記載のコントローラ。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
ペプチドを生産する方法であって、前記ペプチドを融合タンパク質の一部として発現させる工程を含み、前記融合タンパク質は、標的ペプチドと操作されたインテインとを含み、前記インテインは、サイズが最小化され、アラインメントによりMxe GyrAインテイン(配列番号1)の3位に対応する位置にシステイン変異を有する、方法。
【請求項２】
前記インテインはGyrAインテインである、請求項1に記載の方法。
【請求項３】
前記インテインはMxe GyrAインテインである、請求項2に記載の方法。
【請求項４】
前記インテインは、Mxe GyrAインテイン(配列番号1)の残基107〜164に対応する残基又はMxe GyrAインテイン(配列番号1)の残基107〜164に対応する残基の一部の切除によりサイズが最小化されるMxe GyrAインテインであり、前記切除された残基は、1〜10個のアミノ酸を含むリンカーに置き換えられる、請求項3に記載の方法。
【請求項５】
前記リンカーは、6〜10個のアミノ酸を含み、前記リンカーのアミノ酸のうちの少なくとも6個は、グリシン及び/又はセリンである、請求項4に記載の方法。
【請求項６】
前記インテインの配列は配列番号20である、請求項5に記載の方法。
【請求項７】
前記標的ペプチドは、α-アミド化ペプチドである、請求項1から6のいずれか一項に記載の方法。
【請求項８】
前記融合タンパク質は、精製タグを更に含み、これにより、アフィニティクロマトグラフィー又は他のクロマトグラフィー法による同定及び/又は精製が可能となる、請求項1から7のいずれか一項に記載の方法。
【請求項９】
前記融合タンパク質はプロテアーゼ部位を更に含み、前記プロテアーゼ部位により前記精製タグの脱離が可能となる、請求項8に記載の方法。
【請求項１０】
前記標的ペプチドのα-チオエステルを生じる前記融合タンパク質のチオール誘導性開裂を更に含む、請求項1から9のいずれか一項に記載の方法。
【請求項１１】
α-アミド化ペプチドを生産する方法であって、前記ペプチドを融合タンパク質の一部として発現させる工程を含み、前記融合タンパク質は、標的ペプチドと配列番号20のインテインとを含む、方法。
【請求項１２】
前記融合タンパク質を、細菌、酵母、哺乳動物細胞において、又はトランスジェニック哺乳動物の体液中で発現させる、請求項1から11のいずれか一項に記載の方法。
【請求項１３】
標的ペプチドとインテインとを含む融合タンパク質であって、前記インテインは、サイズが最小化され、アラインメントによりMxe GyrAインテイン(配列番号1)の3位に対応する位置にシステイン変異を有する、融合タンパク質。
【請求項１４】
サイズが最小化され、アラインメントによりMxe GyrAインテイン(配列番号1)の3位に対応する位置にシステイン変異を有するインテイン。
【請求項１５】
前記インテインの配列は配列番号20である、請求項14に記載のインテイン。
【請求項１６】
請求項13に記載の融合タンパク質をコードするDNA構築物。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
多能性脂肪由来幹細胞（ＰＡＳＣ）を脂肪組織から単離する方法であって、
（ａ）脂肪組織試料中の細胞をストレス条件に供すること；
（ｂ）脂肪細胞および間質血管細胞群を２−３６時間共培養すること；
（ｃ）生細胞を回収すること；ならびに
（ｄ）任意で回収された細胞を培養すること
を含む、方法。
【請求項２】
前記工程（ａ）のストレス条件は、前記細胞をタンパク質分解酵素を含む培地でインキュベートすることを含み、
前記酵素が任意選択でコラゲナーゼである、
請求項１に記載の方法。
【請求項３】
前記工程（ｂ）の共培養はタンパク質分解酵素の存在下で実施され、
前記酵素が任意選択でコラゲナーゼである、
請求項１に記載の方法。
【請求項４】
前記共培養は血清なしで実施される、請求項１に記載の方法。
【請求項５】
前記共培養は４−２４時間実施される、請求項１に記載の方法。
【請求項６】
細胞選別なしで実施される、請求項１に記載の方法。
【請求項７】
前記共培養は低酸素条件下で実施される、請求項１に記載の方法。
【請求項８】
前記工程（ｃ）の回収は、少なくとも１００，０００のＰＡＳＣを回収することを含む、請求項１に記載の方法。
【請求項９】
請求項１−８のいずれかに記載の方法により単離したＰＡＳＣ、またはその後代、および治療的に許容される培地を含み、前記ＰＡＳＣは培地に懸濁される、組成物。
【請求項１０】
前記細胞は、ＳＳＥＡ−３、ＳＳＥＡ−４、Ｏｃｔ３／４、Ｓｏｘ２、Ｔｒａ１−６０、およびＮａｎｏｇを発現する、請求項９に記載の組成物。
【請求項１１】
請求項１−８のいずれかに記載の方法により単離した細胞、またはその後代の培養物から培地を回収することにより調製した条件培地を含む、細胞を含まない組成物。
【請求項１２】
被験体において組織損傷を寛解する方法において使用するための請求項９または１０記載の組成物であって、
前記方法が前記組成物を前記被験体に、前記組成物のＰＡＳＣが分裂し、組織損傷部位に集合することができる条件下で、投与すること
を含む、組成物。
【請求項１３】
前記組織損傷は外傷性障害または疾患関連損傷を含み、
任意選択で前記外傷性障害が低酸素症、骨損傷、裂傷、銃撃創傷、または脳卒中を含み、
任意選択で前記疾患関連損傷が糖尿病、血管疾患、感染、変性神経疾患、癌、または自己免疫疾患と関連する損傷を含む、
請求項１２に記載の使用のための組成物。
【請求項１４】
前記組成物は、脂肪吸引から単離されたＰＡＳＣを含む、請求項１２に記載の使用のための組成物。
【請求項１５】
前記脂肪吸引が前記組成物が投与される被験体に対して実施されるか、または前記組成物が前記被験体に脂肪吸引の６時間以内に投与される、請求項１４に記載の使用のための組成物。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
組み換え標的化−バクテリオファージおよびカチオン性ポリマーを含む、標的化バクテリオファージ−ポリマーコンプレックスであって、
前記コンプレックスが正味の正電荷を有し、約５０ｎｇ〜５００ｎｇのポリマー：１μｇファージの重量：重量比を含み、前記バクテリオファージ−ポリマーコンプレックスのζ電位が生理学的ｐＨで少なくとも５ｍＶである、コンプレックス。
【請求項２】
前記組み換えバクテリオファージが、カプシドコートで発現されうるタンパク質リガンドをコードする、および標的細胞／組織への標的化デリバリを可能にするために、前記標的細胞／組織で発現したタンパク質に特異的でもある、核酸配列を含み、前記リガンドがＲＧＤ４Ｃリガンドを含む腫瘍−標的化リガンドである、請求項１に記載のコンプレックス。
【請求項３】
前記バクテリオファージが、標的細胞への治療効果を発揮する、導入遺伝子を含み、および前記導入遺伝子が単純ヘルペスウイルスチロシンキナーゼ遺伝子を含む、ならびに／または前記バクテリオファージが繊維状バクテリオファージ、もしくはＦ１、ＦｄもしくはＭ１３である、請求項１または２に記載のコンプレックス。
【請求項４】
前記カチオン性ポリマーが、キトサン；ポリ−Ｄ−リジン（ＰＤＬ）；ジエチルアミノエチル（ＤＥＡＥ）；ジエチルアミノエチル−デキストラン（ＤＥＡＥ．ＤＥＸ）；ポリエチレンイミン（ＰＥＩ）；ポリブレン；プロタミンサルフェート；およびカチオン性脂質からなる群から選択され、前記カチオン性脂質が、ｆｕｇｅｎｅ（登録商標）、ｌｉｐｏｆｅｃｔａｍｉｎｅ（登録商標）、およびＤＯＴＡＰ（Ｎ−［１−（２，３−ジオレオイロキシ）プロピル］−Ｎ，Ｎ，Ｎ−トリメチルアンモニウムメチルサルフェート）からなる群から選択される、ならびに／または
前記カチオン性ポリマーがＤＥＡＥを含む、および／もしくは前記カチオン性ポリマーがＰＤＬを含む、
請求項１〜３のいずれか１項に記載のコンプレックス。
【請求項５】
前記コンプレックスが、約１００ｎｇ〜４００ｎｇのポリマー：１μｇファージの重量：重量比を含み、ならびに／または前記バクテリオファージ−カチオン性ポリマーコンプレックスがリン酸カルシウムを含む、および／もしくは前記カチオン性ポリマーが、ファージカプシドタンパク質とコンプレックスを形成する、請求項１〜４のいずれか１項に記載のコンプレックス。
【請求項６】
前記コンプレックスが、前記ポリマーと前記バクテリオファージ内のタンパク質との間の静電引力によって生成される、ならびに／または前記ポリマーが、バクテリオファージ上の外膜を形成する、および／もしくは前記バクテリオファージ−ポリマーコンプレックスのζ電位が、生理学的ｐＨで少なくとも１０ｍＶまたは１５ｍＶである、請求項１〜５のいずれか１項に記載のコンプレックス。
【請求項７】
正味の正電荷を有する、組み換え標的化−バクテリオファージをカチオン性ポリマーと接触させて安定したコンプレックスを形成することを含み、約５０ｎｇ〜５００ｎｇのポリマー：１μｇファージの重量：重量比を含み、前記バクテリオファージ−ポリマーコンプレックスのζ電位が生理学的ｐＨで少なくとも５ｍＶである、標的化バクテリオファージ−ポリマーコンプレックスの製造方法。
【請求項８】
前記バクテリオファージおよびカチオン性ポリマーが、請求項１〜６のいずれか１項に記載のものであり、および／または前記バクテリオファージを、約１５〜３０℃、または約１８〜２５℃の温度で、少なくとも５分間、１０分間または１５分間、カチオン性ポリマーとインキュベートする、請求項７に記載の方法。
【請求項９】
請求項１〜６のいずれか１項に記載のバクテリオファージ−ポリマーコンプレックスの複数を含む、アグリゲート。
【請求項１０】
前記アグリゲートの平均粒子径が、約６００ｎｍ〜２５００ｎｍ、または約６００ｎｍ〜１５００ｎｍ、または約７００ｎｍ〜１２００ｎｍである、請求項９に記載のアグリゲート。
【請求項１１】
治療もしくは診断、または遺伝子治療技術に使用される、請求項１〜６のいずれか１項に記載の標的化バクテリオファージ−ポリマーコンプレックス、または請求項９もしくは１０に記載のアグリゲート。
【請求項１２】
請求項１〜６のいずれか１項に記載のバクテリオファージ−ポリマーコンプレックス、または請求項９もしくは１０に記載のアグリゲートを含む、ワクチン。
【請求項１３】
遺伝−分子イメージング技術における、請求項１〜６のいずれか１項に記載のバクテリオファージ−ポリマーコンプレックス、または請求項９もしくは１０に記載のアグリゲートの使用。
【請求項１４】
前記導入遺伝子が、ＨＳＶｔｋおよび／またはナトリウム／ヨウ素シンポーター（ＮＩＳ）をコードする、請求項１３に記載の使用。
【請求項１５】
請求項１〜６のいずれか１項に記載のバクテリオファージ−ポリマーコンプレックス、または請求項９もしくは１０に記載のアグリゲート、および薬学的に許容される賦形剤を含む、医薬組成物。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
タンパク質性薬物と第１の赤血球膜タンパク質とを含む第１の融合タンパク質を表面上に発現することを特徴とする遺伝子操作された脱核血液細胞。
【請求項２】
請求項１に記載の遺伝子操作された脱核血液細胞において、前記第１の赤血球膜タンパク質がＩ型赤血球膜貫通型タンパク質であることを特徴とする遺伝子操作された脱核血液細胞。
【請求項３】
請求項１に記載の遺伝子操作された脱核血液細胞において、前記第１の赤血球膜タンパク質がＩ型赤血球膜貫通型タンパク質であり、かつ前記タンパク質性薬物が前記Ｉ型赤血球膜貫通型タンパク質のＮ末端に融合されていることを特徴とする遺伝子操作された脱核血液細胞。
【請求項４】
請求項２又は３に記載の遺伝子操作された脱核血液細胞において、前記Ｉ型赤血球膜貫通型タンパク質がグリコフォリンＡ（ＧＰＡ）であることを特徴とする遺伝子操作された脱核血液細胞。
【請求項５】
請求項１に記載の遺伝子操作された脱核血液細胞において、前記第１の赤血球膜タンパク質がＩＩ型赤血球膜貫通型タンパク質であることを特徴とする遺伝子操作された脱核血液細胞。
【請求項６】
請求項１に記載の遺伝子操作された脱核血液細胞において、前記第１の赤血球膜タンパク質がＩＩ型膜貫通型タンパク質であり、かつ前記タンパク質性薬物が前記ＩＩ型膜貫通型タンパク質のＣ末端に融合されていることを特徴とする遺伝子操作された脱核血液細胞。
【請求項７】
請求項５又は６に記載の遺伝子操作された脱核血液細胞において、前記ＩＩ型赤血球膜貫通型タンパク質がＫｅｌｌまたはＣＤ７１であることを特徴とする遺伝子操作された脱核血液細胞。
【請求項８】
請求項１乃至７の何れか１項に記載の遺伝子操作された脱核血液細胞において、前記タンパク質性薬物が、ワクチン抗原、癌抗原、病原体に由来する抗原、酵素、または凝固（ｃｌｏｔｔｉｎｇまたはｃｏａｇｕｌａｔｉｏｎ）因子を含むことを特徴とする遺伝子操作された脱核血液細胞。
【請求項９】
請求項１乃至８の何れか１項に記載の遺伝子操作された脱核血液細胞において、前記タンパク質性薬物が抗体またはそのフラグメントであることを特徴とする遺伝子操作された脱核血液細胞。
【請求項１０】
請求項９に記載の遺伝子操作された脱核血液細胞において、前記抗体が単一ドメイン抗体であることを特徴とする遺伝子操作された脱核血液細胞。
【請求項１１】
請求項１乃至１０の何れか１項に記載の遺伝子操作された脱核血液細胞において、第２の目的ペプチドと第２の赤血球膜タンパク質とを含む第２の融合タンパク質を表面上にさらに発現することを特徴とする遺伝子操作された脱核血液細胞。
【請求項１２】
請求項１乃至１１の何れか１項に記載の遺伝子操作された脱核血液細胞において、遺伝子操作された脱核血液細胞がヒト脱核赤血球であることを特徴とする遺伝子操作された脱核血液細胞。
【請求項１３】
請求項１乃至１２の何れか１項に記載の遺伝子操作された脱核血液細胞において、前記第１の赤血球膜貫通型タンパク質が天然のタンパク質またはペプチドのフラグメントであることを特徴とする遺伝子操作された脱核血液細胞。
【請求項１４】
請求項１乃至１３の何れか１項に記載の複数の細胞と、薬学的に許容される担体とを含むことを特徴とする医薬組成物。
【請求項１５】
医薬組成物において、治療薬を必要とする被験体に治療薬を送達するための複数の細胞であって、請求項１乃至１３の何れか１項に記載の複数の細胞を含むことを特徴とする医薬組成物。
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
ＦＡＣＳ分析を用いて、７またはそれより多い細胞表面マーカーの存在または不存在を同時に同定するための、蛍光標識抗体のパネルを製造する方法であって、
前記方法は、
（ａ）前記の７またはそれより多い細胞表面マーカーを選択するステップ；
（ｂ）異なるレーザー上に陽性マーカーを広げるステップ；
（ｃ）７またはそれより多い蛍光標識抗体を選択するステップ；
（ｄ）前記の７またはそれより多いマーカー（陽性および陰性の両方）の公知の発現を有する細胞において最適な濃度および最小のスペクトルオーバーラップが達成されることを確実にするために、抗体を滴定するステップ；
（ｅ）陽性の細胞表面マーカーに対して前記抗体を試験するステップ；
（ｆ）前記抗体のコアパネルを試験するステップ；
（ｇ）プレースホルダーのマーカーを発現するために、細胞を誘導または刺激するステップ；
（ｈ）前記プレースホルダーの抗体を試験および滴定するステップ；
（ｉ）前記プレースホルダーの条件を最適化するステップ；および、
（ｊ）他の細胞型の不存在下で、および混合された集団において、細胞に全パネルを試験するステップ、
を含む、
方法。
【請求項２】
請求項１に記載の方法であって、
前記方法は、ＦＡＣＳ分析を用いて、１０またはそれより多い細胞表面マーカーの存在または不存在を同時に同定するための、蛍光標識抗体のパネルを製造するステップ、
を含む、
方法。
【請求項３】
請求項１または２に記載の方法であって、
前記抗体のコアパネルは、ＣＤ７３、ＣＤ９０、ＣＤ１０５、ＣＤ１４、ＣＤ１９、ＣＤ３４およびＣＤ４５に特異的に結合する、
方法。
【請求項４】
請求項１または２に記載の方法であって、
前記抗体のコアパネルは、ＣＤ７３、ＣＤ９０、ＣＤ１０５、ＣＤ１４、ＣＤ１９、ＣＤ３４、ＣＤ４５、ＣＤ１８１およびＣＤ１８４に特異的に結合する、
方法。
【請求項５】
請求項１または２に記載の方法であって、
前記抗体のコアパネルは、ＣＤ２９、ＣＤ４４、ＣＤ７３、ＣＤ９０、ＣＤ１０５、ＣＤ２７１、ＣＤ１４、ＣＤ３４およびＣＤ４５に特異的に結合する、
方法。
【請求項６】
請求項１または２に記載の方法であって、
前記抗体のコアパネルは、ＣＤ２９、ＣＤ４４、ＣＤ７３、ＣＤ９０、ＣＤ１０５、ＣＤ２７１、ＣＤ１４、ＣＤ３４、ＣＤ４５、Ｃ−Ｘ−Ｃケモカイン受容体タイプ１（ＣＸＣＲ１）、ＣＸＣＲ２およびＣＸＣＲ４に特異的に結合する、
方法。
【請求項７】
請求項１または２に記載の方法であって、
前記抗体のコアパネルは、ＣＤ１０、ＣＤ２９およびＣＤ１０６に特異的に結合する、
方法。
【請求項８】
請求項１または２に記載の方法であって、
前記抗体のコアパネルは、Ｓｃａ−１、ＣＤ４５Ｒ、Ｇｒ−１、ＴＣＲａｌｐｈａｂｅｔａ、ＴＣＲｇａｍｍａｄｅｌｔａ、ＣＤ１１ｂ、Ｔｅｒ１１９およびＯｃｔ−４に特異的に結合する、
方法。
【請求項９】
請求項１または２に記載の方法であって、
前記抗体のコアパネルは、ＣＤ１３３に特異的に結合する、
方法。
【請求項１０】
請求項１または２に記載の方法であって、
前記抗体のコアパネルは、ＫＤＲ、ＶＥ−カドヘリンおよびＣＤ３１に特異的に結合する、
方法。
【請求項１１】
請求項１または２に記載の方法であって、
前記抗体のコアパネルは、ＣＤ１１７＋、ＣＤ１８４、ｃ−ｍｅｔおよびＡＣ１３３に特異的に結合する、
方法。
【請求項１２】
請求項１〜１１のいずれか１項に記載の方法を用いて製造される、ＦＡＣＳ分析を用いて、７またはそれより多い細胞表面マーカーの存在または不存在を同時に同定するための蛍光標識抗体のパネル。
【請求項１３】
細胞の集団における特定の細胞型を同定する方法であって、
請求項１２に記載のパネルを用いて、ＦＡＣＳを用いて、前記集団における細胞の表面上の、前記の特定の細胞型を示す７またはそれより多い細胞表面マーカーの存在または不存在を、同時に同定するステップを含む、
方法。
【請求項１４】
細胞の集団における特定の細胞型を同定する方法であって、
（ａ）請求項１〜１１のいずれか１項に記載の方法を用いて、ＦＡＣＳ分析を用いて、前記特定の細胞型における、７またはそれより多い細胞表面マーカーの存在または不存在を同時に同定するための蛍光標識抗体のパネルを製造するステップ、および、
（ｂ）前記の蛍光標識抗体のパネルを用いて、ＦＡＣＳを用いて、前記集団における細胞の表面上の、前記の特定の細胞型を示す７またはそれより多い細胞表面マーカーの存在または不存在を、同時に同定するステップ、を含む、
方法。
【請求項１５】
細胞の集団における新規の細胞型を同定する方法であって、
請求項１２に記載のパネルを用いて、ＦＡＣＳを用いて、前記集団における前記細胞の表面上の、７またはそれより多い細胞表面マーカーの存在または不存在を同時に同定するステップを含み、
前記の７またはそれより多いマーカーの少なくとも一部は、特定の細胞型を示し、
前記の７またはそれより多いマーカーの少なくとも１つは、前記の特定の細胞型によって検出可能に発現されない、
方法。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
ヒト細胞に薬剤を結合させる方法において、ソルターゼの存在下で、ヒト細胞を、ソルターゼ認識配列及び薬剤を含むソルターゼ基質と、前記ソルターゼが前記ソルターゼ基質を前記ヒト細胞により発現された内在性の非操作ポリペプチドと結合させるのに好適な条件下で接触させるステップを含むことを特徴とする方法。
【請求項２】
請求項１に記載の方法において、前記ソルターゼ基質を、前記細胞により発現された内在性の非操作ポリペプチドの細胞外部分に結合させることを特徴とする方法。
【請求項３】
請求項１又は２に記載の方法において、前記ヒト細胞が、免疫系細胞、赤血球又はその前駆細胞であることを特徴とする方法。
【請求項４】
請求項１乃至３の何れか１項に記載の方法において、前記ヒト細胞が非不死化細胞であることを特徴とする方法。
【請求項５】
請求項１乃至４の何れか１項に記載の方法において、前記薬剤が、アミノ酸、ペプチド、タンパク質、ポリヌクレオチド、炭水化物、タグ、金属原子、キレート剤、造影剤、触媒、ポリマー、認識エレメント、小分子、脂質、標識、エピトープ、抗原、治療薬、架橋剤、毒素、放射性同位体、抗体、抗体ドメイン、クリックケミストリーハンドル、ウイルス、細胞、又は粒子を含むことを特徴とする方法。
【請求項６】
請求項１乃至５の何れか１項に記載の方法に従って調製されることを特徴とする単離ヒト細胞又は単離ヒト細胞の集団。
【請求項７】
（ｉ）ソルターゼ媒介反応において求核基の役割を果たすことができる配列を含む内在性の非操作ポリペプチドを含むヒト細胞；（ｉｉ）ソルターゼ認識モチーフを含むソルターゼ基質；及び（ｉｉｉ）ソルターゼを含むことを特徴とする組成物。
【請求項８】
請求項７に記載の組成物において、前記ヒト細胞が、免疫系細胞、赤血球又はその前駆細胞であることを特徴とする組成物。
【請求項９】
請求項７又は８に記載の組成物において、前記ヒト細胞が非不死化細胞であることを特徴とする組成物。
【請求項１０】
請求項７乃至９の何れか１項に記載の組成物において、前記薬剤が、アミノ酸、ペプチド、タンパク質、ポリヌクレオチド、炭水化物、タグ、金属原子、キレート剤、造影剤、触媒、ポリマー、認識エレメント、小分子、脂質、標識、エピトープ、抗原、治療薬、架橋剤、毒素、放射性同位体、抗体、抗体ドメイン、クリックケミストリーハンドル、ウイルス、細胞、又は粒子を含むことを特徴とする組成物。
【請求項１１】
結合部分又は治療薬がソルターゼ認識配列を介して連結されたヒト細胞において、前記結合部分又は治療薬が、前記細胞により発現される内在性の非遺伝子操作タンパク質に連結されることを特徴とするヒト細胞。
【請求項１２】
請求項１１に記載のヒト細胞において、前記細胞が、ソルターゼ認識配列を介して連結された結合部分を有し、前記部分が抗体を含み、任意選択で、前記抗体は、モノクローナル抗体、一本鎖抗体、単一ドメイン抗体であり、さらに任意選択で、前記単一ドメイン抗体は、ＶＨＨであることを特徴とするヒト細胞。
【請求項１３】
請求項１１に記載のヒト細胞において、前記細胞が、ソルターゼ認識配列を介して連結された治療薬を有し、前記治療薬が酵素を含むことを特徴とするヒト細胞。
【請求項１４】
請求項１１乃至１３の何れか１項に記載のヒト細胞において、ヒト細胞が免疫系細胞であるか、又はヒト細胞が赤血球又はその前駆細胞であることを特徴とするヒト細胞。
【請求項１５】
請求項１１乃至１４の何れか１項に記載のヒト細胞であって、疾患の治療が必要な被験者を治療する方法に用いるためのヒト細胞。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
呼吸ガスの流れを囲み、かつ呼吸ガスの流れを使用者の口および／または鼻に供給するシールを含むマスクと、
前記マスクを前記使用者の顔面に固定するヘッドギアであって、前記使用者の頬に接触し、かつ前記マスクを前記使用者の前記顔面に対して支持する比較的剛性の部分を含むヘッドギアと、
を含む接続アセンブリであって、前記比較的剛性の部分は、前記マスクの位置を維持し、および前記ヘッドギアの締め付けに呼応した前記シールの圧縮を制限するのに十分な剛性を有し、
前記ヘッドギアは、各前記比較的剛性の部分から前記使用者の耳の略上の位置に向かって後方に延びる上側アームまたはストラップをさらに含み、
前記ヘッドギアは、前記使用者の頭の頭頂骨領域を囲み、前記上側アームまたはストラップに連結された後部ハロー部分をさらに含み、かつ前記後部ハロー部分の一部分、前記上側アームまたはストラップ、および前記マスクは協同して、前部ハロー部分を形成する、接続アセンブリ。
【請求項２】
前記ヘッドギアは、各前記前部ハロー部分および前記後部ハロー部分の一部を形成する頂部ストラップと、前記後部ハロー部分の一部を形成する後部ストラップとを含む、請求項１に記載の接続アセンブリ。
【請求項３】
前記上側アーム、前記頂部ストラップ、および前記後部ストラップの少なくとも一部分は、比較的剛性の材料、または比較的非伸縮性の材料から構築される、請求項１または２に記載の接続アセンブリ。
【請求項４】
前記ヘッドギアは、剛性部の対を含み、各剛性部は、上側アーム、前記頂部ストラップの一部分、および前記後部ストラップの一部分を含み、各前記頂部ストラップおよび前記後部ストラップは、前記剛性部を互いに連結し、かつ前記前部ハロー部分および前記後部ハロー部分の調整を可能にする調整機構を含む、請求項１〜３のいずれか一項に記載の接続アセンブリ。
【請求項５】
前記調整機構は可撓性ストラップを含む、請求項４に記載の接続アセンブリ。
【請求項６】
呼吸ガスの流れを囲み、かつ呼吸ガスの流れを使用者の鼻に供給するシールを含むマスクアセンブリであって、前記シールは使用者の口のまわり及び該使用者の鼻の下面で封止するように構成された、マスクアセンブリと、
前記マスクを前記使用者の顔面に固定するヘッドギアと、
を含む接続アセンブリであって、前記ヘッドギアは、前記使用者の頭の頭頂骨領域を囲む後部ハロー部分を含み、前記ヘッドギアは前記マスクと協同して、前記使用者の頭の前頭骨領域を囲む前部ハロー部分を形成し、前記前部ハロー部分および前記後部ハロー部分の一方又は両方は周方向に調整可能である、接続アセンブリ。
【請求項７】
前記ヘッドギアは、比較的伸縮性の部分と比較的非伸縮性の部分とを含み、前記比較的非伸縮性の部分は、各前記前部ハロー部分および前記後部ハロー部分を囲む、請求項６に記載の接続アセンブリ。
【請求項８】
前記ヘッドギアが、標準構成と拡大構成との間で移行するのを可能にするブレーク−フィットアセンブリをさらに含む、請求項６〜７のいずれか一項に記載の接続アセンブリ。
【請求項９】
前記ブレーク−フィットアセンブリは、前記ヘッドギアの第１の部分と前記ヘッドギアの第２の部分との間に分離部を含むことができ、前記第１および第２の部分は、前記標準構成において合体して保持され、前記拡大構成において離間される、請求項８に記載の接続アセンブリ。
【請求項１０】
前記前部ハロー部分は、第１の位置で前記マスクの両側につながり、前記ヘッドギアは、前記ヘッドギアの両側にストラップをさらに含み、前記ストラップはそれぞれ、前記第１の位置から離間した第２の位置でマスクのそれぞれの側につながる、請求項６〜９のいずれか一項に記載の接続アセンブリ。
【請求項１１】
前記第１および第２の位置は、それぞれ上側および下側位置である、請求項１０に記載の接続アセンブリ。
【請求項１２】
前記ヘッドギアは、比較的伸縮性の部分と比較的非伸縮性の部分とを含み、前記接続アセンブリは、前記ヘッドギアの前記比較的伸縮性の部分に形成された、あるいは固定された補強特徴部をさらに含む、請求項６〜１１のいずれか一項に記載の接続アセンブリ。
【請求項１３】
前記シールは、使用者の口のまわり及び該使用者の鼻の下面で封止するように構成されている、請求項１に記載の接続アセンブリ。
【請求項１４】
前記ヘッドギアは、比較的伸縮性の部分と比較的非伸縮性の部分とを含み、前記比較的非伸縮性の部分は、前記前部ハロー部分および前記後部ハロー部分の少なくとも一方を囲む、請求項６に記載の接続アセンブリ
【請求項１５】
前記ヘッドギアは、頂部ストラップを含み、該頂部ストラップは前記前部ハロー部分および前記後部ハロー部分に共通する、請求項６に記載の接続アセンブリ。
【請求項１６】
前記頂部ストラップは中央調整特徴部を有する、請求項１５に記載の接続アセンブリ。
【請求項１７】
前記中央調整特徴部は、前記前部ハロー部分および前記後部ハロー部分の周囲長を調整するように構成されている、請求項１６に記載の接続アセンブリ。
【請求項１８】
前記ヘッドギアは、それぞれ前記使用者の耳の後ろで、耳の下から上までアーチ形の態様で延びる剛性の耳ループ部分を含む、請求項６に記載の接続アセンブリ。
【請求項１９】
前記剛性の耳ループ部分は前記使用者の耳を囲む、請求項１８に記載の接続アセンブリ。
【請求項２０】
前記ヘッドギアは、前記マスクを該ヘッドギアに連結する下側ストラップおよび上側ストラップを両側に含み、前記上側ストラップは前記マスクを前記使用者の鼻の底面に当てて封止するのを容易にする、または封止するのを補助する方向の力を前記マスクに加え、前記下側ストラップは前記マスクの回転調整を容易にする、または回転調整を補助する、請求項１９に記載の接続アセンブリ。
【請求項２１】
前記ヘッドギアは、頂部ストラップと後部ストラップを含み、前記後部ストラップは前記使用者の後頭部を通り越すように構成され、前記頂部ストラップと前記後部ストラップはそれぞれ前記耳ループから略半径方向に延び、互いに対して略垂直に向けられるように構成されている、請求項１８に記載の接続アセンブリ。
【請求項２２】
前記ヘッドギアは、各前記前部ハロー部分および前記後部ハロー部分の一部を形成する頂部ストラップと、前記後部ハロー部分の一部を形成する後部ストラップとを含む、請求項６に記載の接続アセンブリ。